(57)【要約】【課題】介護用の浴槽に取付けられる気泡浴槽は冷却気泡が直接身体に接触するので不快感を感じるうえ、高齢者や被介護者には健康上好ましくないものであった。【解決手段】吹出しノズル部からの気泡が一旦ボード部と吹出しノズル部間の空室に蓄積され、周囲の湯水との熱交換のスペースを確保した被介護者用簡易気泡浴槽を提供することを目的とする。【効果】本発明の気泡浴槽は、熱交換された気泡を利用するので入浴者に温熱気泡にて爽快感を与え、介護者にあっては、吹出しノズル部とボード部を分割することにより軽量化され、清掃時の重労働が軽減されて極めて汎用性の高いものである。【選択図】        図１
2004167068.tif 000002
【特許請求の範囲】
【請求項１】
高齢者や被介護者が容易に利用できる簡易浴槽において、浴槽外側のコンプレッサーにチューブを介して、略等間隔で吹出し孔を穿設させた吹出しノズル部を浴槽底面に配設し、ボード全面に多数の噴出孔を穿設させた脚付きボードを浴槽底部の吹出しノズル部間へ載置して、外気からの新鮮な空気を圧送することにより、上記吹出しノズル部の吹出し孔より冷却気泡を噴出させ、一旦脚付きボードと吹出しノズル部間の空室に冷却気泡を滞留させ空室内の湯水とで熱交換させて、温熱気泡として脚付きボードの噴出孔からさらに浴槽内へ噴出させることにより入浴者が温熱気泡にて気分爽快なることを特徴とする被介護者用簡易気泡浴槽。
【請求項２】
浴槽底部に吹出しノズル部を配設し、脚付きボードの脚端部に吸盤を固着し、利用しないときは脚付きボードを取外しできる請求項１に記載の被介護者用簡易気泡浴槽。
【請求項３】
浴槽内の底部、側部のいずれかの面に吹出しノズル部と脚付きボードを一体成形して、浴槽と一体化させることを特徴とする請求項１に記載の被介護者用簡易気泡浴槽。
【発明の詳細な説明】
【０００１】
【発明の属する技術分野】
本発明は、気泡を発生させ浴槽内の湯水中に送り込む気泡発生装置において、脚付きボードと吹出しノズル部間に熱交換のスペースを確保し、気泡を滞留させ、温熱気泡として浴槽内に噴出させることにより入浴者が温熱気泡により気分爽快になり、高齢者や被介護者にも安心して使用できる被介護者用簡易気泡浴槽に関するものである。
【０００２】
【従来の技術】
従来、気泡を混入させた湯水を浴槽内に設けたノズルから勢いよく噴出させ、浴槽内の湯水を流動化させることによって入浴者の身体に温熱効果やマッサージ効果或はリラックス効果をもたらすジェットバスが開発され使用されている。またこのジェットバスとは別に例えばコンプレッサーなどで空気を送り込んで細かい気泡を発生させ浴槽内の湯水中に送り込む気泡発生装置を備え、皮膚への刺激が柔らかく、高齢者にも安心して使用できる気泡浴槽も開発されている。
【０００３】
これらの発明は、例えば特開平１０−２４８７３７に示されるように浴槽の底面に所定の板状のボードを置いて、複数の気泡噴出孔から気泡を噴出させ、ボードを浴槽底面に固定するか、ボードを適度の重さにして浮上するのを防止する構造となっていた。
【０００４】
【発明が解決しようとする課題】
しかしながら、これらの発明は、浴槽に合わせて取付けられており、気泡浴槽が不使用の場合には取外すことが困難で、介護用の浴槽に取付ける場合には介護者は重量を有する気泡発生装置を浴槽底面に設備しなければならず不便を強いられるものであった。
【０００５】
また、構造として気泡発生部よりコンプレッサーで冷却された空気が気泡となり、直接身体に接触するので不快感を感じるうえ、高齢者や被介護者には健康上好ましくないのものであった。
【０００６】
そこで本発明においては、気泡発生の吹出しノズル部と身体に接触する脚付きボードを分割することにより軽量化され、吹出しノズル部からの気泡が一旦ボード部と吹出しノズル部の間に蓄積され、周囲の湯水との熱交換のスペースを確保した極めて汎用性の高い被介護者用簡易気泡浴槽を提供することを目的とする。
【０００７】
【課題を解決するための手段】
本発明は、上記課題を解決するためになされたものであり、その要旨  とするところは、高齢者や被介護者が容易に利用できる簡易浴槽において、浴槽外側のコンプレッサーにチューブを介して略等間隔で吹出し孔を穿設させた吹出しノズル部を浴槽底面に配設し、ボード全面に多数の噴出孔を穿設させた脚付きボードを浴槽底部の吹出しノズル部間へ載置して、外気からの新鮮な空気を圧送することにより、上記吹出しノズル部の吹出し孔より冷却気泡を噴出させ、一旦脚付きボードと吹出しノズル部間の空室に冷却気泡を滞留させ空室内の湯水とで熱交換させて、温熱気泡としてボードの噴出孔からさらに浴槽内へ噴出させることにより入浴者が温熱気泡にて気分爽快になることを特徴とする被介護者用簡易気泡浴槽に関し、及び浴槽底部に吹出しノズル部を配設し、脚付きボードの脚端部に吸盤を固着し、利用しないときは脚付きボードを取外しできる被介護者用簡易気泡浴槽に関し、並びに浴槽内の底部、側部のいずれかの面に吹出しノズル部とボードを一体成形して、浴槽と一体化させることを特徴とする被介護者用簡易気泡浴槽に関するものである。
【０００８】
【発明の実施の形態】
本発明を実施例の図面を参照しながら詳細に説明する。
図１に於て、Ａは本発明の簡易浴槽に取付けられた気泡発生装置を示し、脚付きボード２と吹出しノズル部３とコンプレッサー４より構成される。この気泡発生装置Ａは簡易浴槽（以下浴槽１と謂う）の大きさに制限なく、浴槽内に脚付きボード２が略嵌り込む状態では底部全面気泡浴槽のように使用でき、浴槽１の方が大きく脚付きボード２が略半分程度のスペースの場合はリクライニングで背凭れを倒した状態のような姿勢の底部部分気泡浴槽に使用できる。図１は底部全面気泡浴槽を示している。
【０００９】
図１に於て、脚付きボード２と吹出しノズル部３は単独で組立てられ、浴槽１の底部１３に設置される。吹出しノズル部３は、浴槽外部より新鮮な空気をコンプレッサー４で取込み、吹出しノズル部３の根本６まで樹脂チューブ５で配設される。この樹脂チュープ５には耐熱、耐圧仕様が使用され、振動の保護や配管の分解・洗浄を容易としている。
【００１０】
図１に於て、吹出しノズル部３は直径約２０ｍｍのステンレス製で略４本の櫛状の平面で構成されている。吹出しノズル部３の根本６に樹脂チューブ５が配設され、略４本の櫛状のステンレスパイプ９が枝分かれしている。夫々のステンレスパイプ９の端末は蓋で閉塞しており、且つステンレスパイプ９のボード部８側には気泡を発生させるための吹出し孔１０が略等間隔で夫々設けられている。このステンレスパイプ９と浴槽底部１３との接地部は振動防止のためゴムスペーサー１１が貼着されている。
【００１１】
脚付きボード２の脚１２は、先端に盃状の吸盤を設けた吸着部材１５が設けられる。浴槽１の底部１３に吹出しノズル部３が敷設された状態で脚付きボード２の位置を決定しながら載置し、浴槽底部１３に吸着部材１５で固定される。
【００１２】
図２に於て、脚付きボード２が浴槽１内に載置され、この脚付きボード２の脚１２の高さにより脚付きボード２と吹出しノズル部３間に空室αが設けられる。
【００１３】
図３ａに於て、脚付きボード２のボード部８は、浴槽の略底面サイズの平面で構成され、ボード部８には略等間隔で直径約１０ｍｍ程度の噴出孔１６が全面に穿設されている。被介護者の肌を守るためボード部８の材質はアクリル板などの合成樹脂製でも檜などの木材質でも拘らない。
【００１４】
図３ｂに於て、脚付きボード２のボード部８の裏面には複数本の脚１２を設け、該脚１２の先端に盃状の吸盤を設けた吸着部材１５が設備される。この吸着部材１５を装備することにより被介護者が浴槽内で無理な姿勢で移動しても脚付きボード２がズレることがなく、安定した設置状態を維持することができる。また排水して浴槽を洗浄する際にも脚付きボード２が単独で取外しできるので介護者は重労働を軽減することができる。勿論切り欠き部２１を設けて樹脂チューブの干渉を防いでいる。
【００１５】
図４に於て、浴槽１に湯水１７を入れて本発明の気泡発生装置Ａの気泡発生状態を詳しく説明すると、コンプレッサーより発生した新鮮な圧送冷却空気は、流れＷとして樹脂チューブ５を介して吹出しノズル部３の根本６に到達する。この圧送冷却空気は、略４本の櫛状のステンレスパイプ９で枝分かれして夫々のステンレスパイプ９の吹出し孔１０よりボード部８の方向へ流れＷ１として気泡を発生させる。脚付きボード２に横たわった被介護者７はボード部８の噴出孔１６からの気泡１８を略全身に受けることができる。その後気泡１８は被介護者７に温熱気泡の爽快感を与えながら湯面１４へ上昇していく。
【００１６】
図５に於て、吹出しノズル部３からの気泡１９は、流れＷ１として空室α内の湯水１７と熱交換をしながら湯面へ上昇していく。即ち吹出しノズル部３から噴出した気泡１９は圧送冷却空気の状態で一旦脚付きボード２と吹出しノズル部３間の空室αに滞留し、浴槽内の湯水１７と熱交換をして更にボード部８側の噴出孔１６より温熱気泡１８となって浴槽内を上昇し、流れＷ２として被介護者７の肌を伝わりながら湯面へ上昇していく。
【００１７】
図５に於て、被介護者７の肌で押されて閉鎖された噴出孔１６に滞留している気泡２０は該噴出孔１６より噴出できず、流れＷ３として近傍の噴出孔１６に迂回して浴槽内を上昇していく。本作用により更に気泡１８が暖められた温熱気泡となるものである。
【００１８】
本発明の吹出しノズル部はステンレス製のパイプに限定するものではなく耐熱の合成樹脂製でもアルミニューム製でも材質には拘らない。
【００１９】
また本実施例は簡易浴槽に対して取外し可能な構造を示したが、一般の家庭浴槽にも使用することができ、一体型浴槽として吹出しノズル部とボードを浴槽本体の底部や側部に埋め込み、浴槽外部に樹脂チューブを配管した気泡発生装置付き浴槽として構成することも可能である。（図示なし）
【００２０】
【発明の効果】
本発明の気泡浴槽は、熱交換された気泡を利用するので被介護者に温熱気泡により爽快感を与え、心臓の負担が少なくなり、介護者にあっては、吹出しノズル部とボード部を分割することにより軽量化され、清掃時の重労働が軽減される、極めて汎用性の高いものといえるものである。
【００２１】
本発明の請求項２により、気泡浴槽は一般の簡易浴槽にも吸盤を利用して簡単に取付けることができるので何処にでも持ち運ぶことができ、どの家庭浴槽にも設置することができる優れた装置といえるものである。
【００２２】
本発明の請求項３により、気泡浴槽を一般の家庭浴槽に一体成形させたので、何時でも入浴者に温熱気泡の爽快感が得られる優れたリラックスゼーションの場所を提供することができる。
【図面の簡単な説明】
【図１】本発明の気泡浴槽を取付け、要部を欠截した状態を示した外観斜視図である。
【図２】本発明の気泡浴槽の正面図である。
【図３】ａ  本発明の気泡浴槽のボード部表面より眺めた外観斜視図である。
ｂ  本発明の気泡浴槽のボード部裏面より眺めた外観斜視図である
【図４】本発明の気泡浴槽を使用している状態を示した説明図である。
【図５】本発明の気泡の流れを示した説明図である。
【符号の説明】
１  浴槽
２  脚付きボード
３  吹出しノズル部
４  コンプレッサー
５  樹脂チューブ
６  根本
７  被介護者
８  ボード部
９  ステンレスパイプ
１０  吹出し孔
１１  ゴムスペーサー
１２  脚
１３  底部
１４  湯面
１５  吸着部材
１６  噴出孔
１７  湯水
１８  気泡
１９  気泡
２０  気泡
２１  切り欠き部
Ａ  気泡発生装置
Ｗ  流れ
Ｗ１  流れ
Ｗ２  流れ
Ｗ３  流れ
α  空室
【図１】
2004167068.tif 000003
【図２】
2004167068.tif 000004
【図３】
2004167068.tif 000005
【図４】
2004167068.tif 000006
【図５】
2004167068.tif 000007